(57)【要約】【課題】住宅建築中の足場において、構造が簡単で容易に取り付けでき、軒樋支持具と簡単に連結でき、かつ複数のもので確実に軒樋を支持できる軒樋取付ブラケット、および、その軒樋取付ブラケットを提供する。【解決手段】軒樋取付ブラケット２０は、略水平方向に配された足場用フレーム材３に嵌合して固定される固定部Ａと、固定部Ａの一端より横方向に延び、軒樋支持具３０の取付部３３が固定される支持具取付部２２とを備えている。【選択図】図２
2019090247.tif 000002
【特許請求の範囲】
【請求項１】
略水平方向に配された足場用フレーム材に嵌合して固定される固定部と、該固定部の一端より横方向に延びた、軒樋支持具の取付部が固定される支持具取付部とを備えたことを特徴とする軒樋取付ブラケット。
【請求項２】
請求項１において、
前記足場用フレーム材は円筒状とされており、
前記固定部は、前記支持具取付部を一端より延出させた円弧形状の嵌合部と、該嵌合部に外面側より重合させる別体の円弧形状の緊締材とを備えたことを特徴とする軒樋取付ブラケット。
【請求項３】
請求項１または２の軒樋取付ブラケットと、該軒樋取付ブラケットの支持具取付部に固定される取付部を有した軒樋支持具とを備えたことを特徴とする軒樋支持具セット。
【発明の詳細な説明】
【技術分野】
【０００１】
本発明は、略水平方向に配された足場用フレーム材に取り付けられる軒樋取付ブラケット、および、軒樋取付ブラケットと軒樋支持具とを組み合わせてなる軒樋支持具セットに関する。
【背景技術】
【０００２】
新築住宅の建築中において軒樋が未だ施工されていない状態で雨が降れば、軒先の横方向の略全長にわたり雨水が屋根より落ちてくる。そのため、軒樋が施工されるまでの間には軒先から落下してくる雨で壁面が汚れやすくなる。また、作業員が軒先の足場板に立って作業している場合には軒先から落下してくる雨水を直接受けるおそれがあり、雨降りでの作業がさらにしにくくなる。
【０００３】
特許文献１には、このような建築足場において軒樋を仮設置できる軒樋取付ブラケットが提案されている。
【先行技術文献】
【特許文献】
【０００４】
【特許文献１】特開平０３−１２９６４６号公報
【発明の概要】
【発明が解決しようとする課題】
【０００５】
しかしながら、上記文献のものは、足場用フレーム材に固定される本体パイプ、補強材を有するとともに、軒樋を支持でき前後方向に滑動自在とされる雨樋保持用部品が組み込んであるが、構造が複雑であり、取り付けが面倒であると考えられる。また、同軒樋取付ブラケットは垂直方向に配する竪パイプに取り付けられるものであるため、竪パイプの設置位置によっては雨樋保持用部品の取り付け位置が制限され、軒樋を適正に配することができない可能性や、軒樋を強固に支持できない可能性がある。
【０００６】
本発明は、このような事情を考慮して提案されたもので、その目的は、住宅建築中の足場において、構造が簡単で容易に取り付けでき、軒樋支持具と簡単に連結でき、かつ複数のもので確実に軒樋を支持できる軒樋取付ブラケット、および、その軒樋取付ブラケットを含む軒樋支持具セットを提供することにある。
【課題を解決するための手段】
【０００７】
上記目的を達成するために、請求項１に記載の軒樋取付ブラケットは、略水平方向に配された足場用フレーム材に嵌合して固定される固定部と、固定部の一端より横方向に延びた、軒樋支持具の取付部が固定される支持具取付部とを備えたことを特徴とする。
【０００８】
請求項２の軒樋取付ブラケットでは、足場用フレーム材が円筒状とされており、固定部は、支持具取付部を一端より延出させた円弧形状の嵌合部と、嵌合部に外面側より重合させる別体の円弧形状の緊締材とを備えている。
【０００９】
請求項３に記載の軒樋支持具セットは、上記の軒樋取付ブラケットと、軒樋取付ブラケットの支持具取付部に固定される取付部を有した軒樋支持具とを備えたことを特徴とする。
【発明の効果】
【００１０】
請求項１に記載の軒樋取付ブラケットは上述した構成となっているため、建築中の足場において、構造が簡単で容易に取り付けでき、軒樋支持具と簡単に連結でき、かつ複数のものを用いることで確実に軒樋を支持することができる。
【００１１】
請求項２に記載の軒樋取付ブラケットは上述した構成となっているため、水平方向の足場用フレーム材にしっかりと固定され得る。したがって、ずれが発生するおそれがなく、軒樋支持具もずれが生じるおそれはなく、よって軒樋を適正に支持することができる。
【００１２】
請求項３に記載の軒樋支持具セットは、軒樋支持具に上記軒樋取付ブラケットを付加した構成であるため、上記効果が奏せられる。この軒樋支持具が正規な位置に取り付けられる軒樋を支持する正規なものであれば、住宅の建築が進行して正規な位置に軒樋を取り付ける際に、その軒樋支持具セットに含まれる軒樋支持具をそのまま利用することができる。
【図面の簡単な説明】
【００１３】
【図１】本発明の実施形態に係る軒樋取付ブラケットを含む軒樋支持具セットの取付態様例を示す斜視図である。
【図２】図１における白抜き矢印方向から見た同軒樋支持具セットの側面図である。
【図３】（ａ）は同軒樋取付ブラケットの一部品と軒樋支持具の一部とを分離状態に示した斜視図、（ｂ）は同軒樋取付ブラケットの他の部品（緊締材）の斜視図である。
【図４】同軒樋取付ブラケットの固定部が足場用フレーム材に固定された状態の縦断面図である。
【図５】軒樋取付ブラケットの固定部の他の形状例を示す縦断面図である。
【発明を実施するための形態】
【００１４】
以下に、本発明の実施の形態について、添付図面を参照しながら説明する。
【００１５】
以下に説明する実施形態に係る軒樋取付ブラケット２０（以下、たんにブラケット２０と言う）またはそれを有してなる軒樋支持具セット１０は、図１に示すように、住宅の建築現場において作業員の足場を設置するために水平方向に配された足場用フレーム材３に取り付けられて使用される。本実施形態の足場用フレーム材３は、鉄パイプ等の円筒状のものとされている。
【００１６】
図１に示した住宅は建築中のものであり、軒樋１が軒先７（屋根の前端部）の正規な位置にはまだ施工されていない状態である。図１では、この軒樋１を仮の位置に施工するために、軒樋１を支持するための複数の軒樋支持具セット１０、１０が、縦フレーム材４、４間に架け渡された、水平方向の足場用フレーム材３（以下、横フレーム材３と略す）に取り付けてある。図１中における５は作業員用の足場板である。なお、図１では軒樋１を２点鎖線の直線で簡易に図示した。
【００１７】
軒樋支持具セット１０は、凹湾曲形状の支持部３１と取付部３３とを有した軒樋支持具３０と、ブラケット２０とよりなる。本実施形態の軒樋支持具３０は、軒樋１を正規な位置で支持するために軒先７側の壁面８等に固定される支持具である。
【００１８】
図１の例では、軒樋支持具セット１０は、壁面８より前方に離反した位置に配された横フレーム材３に、軒樋支持具３０の支持部３１が壁面８側に配されるように取り付けられている。つまり、軒樋支持具３０は、軒樋１を正規な軒先位置に取り付ける場合とは前後を逆にして取り付けてある。そして軒樋１は、横フレーム材３と壁面８との間に配された軒樋支持具３０に支持されるように配されて、軒先７からの雨水を受けることができるようになる。
【００１９】
ついで、図２〜図４を参照しながら、ブラケット２０および軒樋支持具セット１０について説明する。
【００２０】
この軒樋支持具３０は、丸形の軒樋１を受け支持するための帯板を湾曲加工してなる支持部３１と、その一端から足部３２を介して、足部３２の他端の下方側に配された取付部３３とを備えている。
【００２１】
取付部３３は、軒樋１の正規設置において壁面８等に取り付けできるように足部３２の一端から垂下するように折曲延出された垂直片３３ａを有し、この垂直片３３ａに別体の固定板３４を取り付けた構成とされている。固定板３４は、裏側に凹部を有した基部３４ａと、その両側に配されたボルト挿通孔３４ｃ付きの翼片部３４ｂ、３４ｂとを備えている。垂直片３３ａは基部３４ａの凹部に配され、基部３４ａにボルト４１、ナット４２で固定されている。
【００２２】
なお、この軒樋支持具３０が軒樋１の正規な設置に使用される場合、取付部３３を後部に配した状態で、支持部３１は足部３２よりも前方に配されるが、軒樋１を図１のように仮設置する場合、図１のように支持部３１が取付部３３よりも後方（壁面８に近い側）に配される。
【００２３】
一方、ブラケット２０は、横フレーム材３に嵌合して固定される固定部Ａと、固定部Ａの一端より横方向に延びた、軒樋支持具３０の取付部３３が固定される支持具取付部２２とを備えている。
【００２４】
図２および図３（ａ）に示すように、軒樋支持具３０の取付部３３とブラケット２０の支持具取付部２２とが連結することで一体化され、その一体化された軒樋支持具セット１０は、図１に示すように、ブラケット２０が横フレーム材３に固定された状態で、軒樋支持具３０で軒樋１を支持するように配される。
【００２５】
本実施形態に係るブラケット２０は２部材を組み合わせて構成されている。そのうちの１部材である本体２１は、上記の支持具取付部２２と、固定部Ａの一部をなす、支持具取付部２２の一端より延出された円弧形状の嵌合部２３とを一体に有してなる。また、ブラケット２０の他の１部材は、固定部Ａの他の一部をなす、断面略円弧形状の緊締材２５とされる。
【００２６】
本体２１の支持具取付部２２は、ボルト挿通孔２２ｃ付きの縦片２２ａと、水平片２２ｂとを有して倒Ｌ字形状とされ、縦片２２ａが軒樋支持具３０の取付部３３に重合固定されて一体化される構成とされている。
【００２７】
嵌合部２３は、円筒状の横フレーム材３を抱持、嵌合できる断面略円弧形状とされている。本例では、嵌合部２３の円弧は、半円よりもやや大きな円弧（優弧）とされ、嵌合部２３の開口２３ａを横フレーム材３に押し当てながら弾性嵌合できるようになっている。なお、本実施形態のものは、緊締材２５を用いて嵌合部２３を横フレーム材３に固定する構成であるため、嵌合部２３の形状は半円円弧または半円よりも小さな円弧（劣弧）であってもよい。
【００２８】
また、固定部Ａの一部をなす緊締材２５は断面略円弧形状とされ、円筒の上底面間にわたり開口を有した形状とされている。緊締材２５は周方向に沿った２本の補強リブ２５ｅ、２５ｅを有し、一方の開口端２５ａ側の外面には、円中心Ｏを通る直線上に沿うようにボルト挿通孔２５ｆが開設され、そのボルト挿通孔２５ｆに合致するようにナット２５ｂが溶接されている。ナット２５とボルト挿通孔２５ｆとの組み合わせの代わりに、バーリング加工によるボルト孔を設けてもよい。また、他方の開口端２５ａには外側に開いたガイド片２５ｄが形成されている。
【００２９】
まず本体２１の嵌合部２３が横フレーム材３に嵌め込まれ、支持具取付部２２の縦片２２ａが垂下するように回動調整され、嵌合部２３を抱持するように緊締材２５が嵌め込まれ、さらにボルト２５ｃをナット２５ｂに螺着し、ボウル挿通孔２５ｆに挿通させ、ボルト２５の軸部の先端を嵌合部２３の外面に当接させ押圧することで、ブラケット２０は横フレーム材３に固定される。なおボルト２５ｃとしては、高所での作業を考慮して、種々の工具での締め付け、取り外し操作がしやすいアイボルトを用いてもよい。
【００３０】
ナット２５ｂの挿通孔が円中心Ｏを通る直線に沿って形成されているため、ボルト２５ｃで締め付けることで、嵌合部２３は横フレーム材３に対してずれなくしっかりと固定される。なお、ブラケット２０は軒樋支持具３０をボルト４１、ナット４２で取付固定してから、横フレーム材３に固定すれば作業を簡略化できる。
【００３１】
上記手順で複数の軒樋支持具セット１０、１０を横フレーム材３に順次取り付けていくことで、軒樋１の施工の準備が完了し（図１参照）、軒樋１を仮位置に施工することができる。
【００３２】
以上のように、ブラケット２０は横フレーム材３に容易に取り付けできる。しかも、ブラケット２０と軒樋支持具３０とは簡単に連結することができる。したがって、建築中の現場において、複数の軒樋支持具セット１０、１０を横フレーム材３に取り付けることで、軒樋１を仮位置に簡単に設置することができる。
【００３３】
また、ブラケット２０は横フレーム材３に取り付けられるものであるため、正規な位置での取り付けと同じように、複数の軒樋支持具３０を並べて取り付けることができる。したがって、仮設置の軒樋１であっても、複数の軒樋支持具セット１０で確実に軒樋１を支持させることができる。
【００３４】
なお上記の例では、軒樋支持具３０がブラケット２０の後ろ側に配されているが、横フレーム材３が壁面８に近接した位置に配されている場合には、軒樋支持具３０がブラケット２０の前側に配されるようにしてもよい。
【００３５】
また、ブラケット２０の固定部Ａは、緊締材２５を用いずに嵌合部２３だけで横フレーム材３に固定できる構成としてもよい。円筒状の横フレーム材３の場合、嵌合部２３は回転ずれが発生しやすいが、横フレーム材３を弾性的に締め付けできるものであれば、ずれの発生を防止することができる。
【００３６】
また、図５に示すように、角筒状の横フレーム材３に取り付けるブラケット２０の場合、緊締材２５を有さないものであってもよい。このブラケット２０の固定部Ａは嵌合部２３のみで構成されている。嵌合部２３は開口２３ａに向けてすぼまった形状とされ、開口端縁にはガイド片２３ｂが形成されている。その嵌合部２３を横フレーム材３に嵌め込めば、嵌合部２３は横フレーム材３に弾性嵌着される。そもそも横フレーム材３が角パイプ状であるため、回動ずれは発生し得ず、緊締材２５を用いなくても外れやずれのおそれはほとんどない。
【００３７】
上記の２種の例では、横フレーム材３が筒状のものについて示したが、中実の柱状のものとしてもよい。上記のブラケット２０は、たとえば木材で形成された棒材や角材などの横フレーム材についても適用され得る。
【００３８】
以上では、正規な位置に取り付けられる軒樋１を支持する、壁面８等に固定する形状とした取付部３３を有した軒樋支持具３０を含んで軒樋支持具セット１０を構成した例を示した。このように正規設置用の軒樋支持具３０が用いてあるから、住宅の建築が進行して正規な位置に軒樋１を取り付ける段階に至ったときには、その軒樋支持具３０をそのまま利用することができる。
【００３９】
また、他の形状の軒樋支持具３０を用いるようにしてもよい。上記の例では軒樋支持具３０の垂直片３３ａとブラケット２０の縦片２２ａを重ね合わせて固定する構造であるが、軒樋支持具の取付部と、ブラケットの支持具取付部とを上下に重ね合わせて固定する構造としてもよい。
【００４０】
また、軒樋支持具３０としては、受け支持する支持部３１に代えて、軒樋１を吊り支持する支持部３１を有した構成のものであってもよい。
【符号の説明】
【００４１】
１          軒樋
３          水平方向に配された足場用フレーム材（横フレーム材）
４          縦フレーム材
５          足場板
７          軒先
８          壁面
１０        軒樋支持具セット
２０        ブラケット
２１        本体
２２        支持具取付部
２２ａ      縦片
２２ｂ      水平片
２３        嵌合部
２３ａ      開口
２３ｂ      ガイド片
２５        緊締材
２５ａ      開口端
２５ｂ      ナット
２５ｃ      ボルト
２５ｄ      ガイド片
２５ｅ      補強リブ
２５ｆ      ボルト挿通孔
Ａ          固定部
３０        軒樋支持具
３１        支持部
３２        足部
３３        取付部
３３ａ      垂直片
３４        固定板
３４ａ      基部
３４ｂ      翼片部
３４ｃ      ボルト挿通孔
４１        ボルト
４２        ナット
【図１】
2019090247.tif 000003
【図２】
2019090247.tif 000004
【図３】
2019090247.tif 000005
【図４】
2019090247.tif 000006
【図５】
2019090247.tif 000007